(57)【要約】【課題】移動無線に適したＩＰパケットのマッピングを行う無線基地局および移動局並びにデータ伝送方法を提供することを目的とする。【解決手段】無線基地局に、複数のＰＤＵフォーマットが格納された記憶手段と、複数のＰＤＵフォーマットから、使用するＰＤＵフォーマットを選択し、選択されたＰＤＵフォーマットに基づき、所定のＰＤＵサイズに前記パケットデータを分割する分割手段と、分割された少なくとも１個のパケットデータを所定のサイズにマッピングするマッピング手段とを備えることにより達成される。【選択図】図２
2006295724.tif 000002
【特許請求の範囲】
【請求項１】
パケットデータを複数の固定長のＰＤＵ(Protocol Data Unit)に分割し、前記ＰＤＵにヘッダ情報を付加して送信する無線基地局において：
複数のＰＤＵフォーマットが格納された記憶手段；
前記複数のＰＤＵフォーマットから、使用するＰＤＵフォーマットを選択し、選択されたＰＤＵフォーマットに基づき、所定のＰＤＵサイズに前記パケットデータを分割する分割手段；
分割された少なくとも１個のパケットデータを所定のサイズにマッピングするマッピング手段；
を備えることを特徴とする無線基地局。
【請求項２】
請求項１に記載の無線基地局において：
前記分割手段は、送信データ、伝送レートおよび伝送路の状態の少なくとも１つに基づいて、前記複数のＰＤＵフォーマットから使用するＰＤＵフォーマットを選択することを特徴とする無線基地局。
【請求項３】
請求項１または２に記載の無線基地局において：
前記分割手段は、前記選択されたＰＤＵフォーマットに応じたヘッダ情報を、前記ＰＤＵに付加することを特徴とする無線基地局。
【請求項４】
請求項１ないし３のいずれか１項に記載の無線基地局において：
前記記憶手段は、変調方式毎または変調と符号化のセット毎にＰＤＵフォーマットを備えることを特徴とする無線基地局。
【請求項５】
請求項１ないし４のいずれか１項に記載の無線基地局において：
前記マッピング手段は、ヘッダ情報が付加されたＰＤＵを符号軸および時間軸の少なくとも一方にマッピングすることを特徴とする無線基地局。
【請求項６】
請求項５に記載の無線基地局において：
前記マッピング手段は、少なくとも１のコードを単位として、誤り検出符号を付加することを特徴とする無線基地局。
【請求項７】
請求項５または６に記載の無線基地局において、
前記マッピング手段は、トラヒックの種別に応じて、前記マッピング処理を行うことを特徴とする無線基地局。
【請求項８】
請求項５ないし７のいずれか１項に記載の無線基地局において：
少なくとも１のコードを単位として再送する再送手段；
を備えることを特徴とする無線基地局。
【請求項９】
パケットデータを複数の固定長のＰＤＵ(Protocol Data Unit)に分割し、前記ＰＤＵにヘッダ情報を付加して送信する移動局において：
無線基地局とは異なるＰＤＵサイズが設定されたＰＤＵフォーマットが格納された記憶手段；
を備えることを特徴とする移動局。
【請求項１０】
パケットデータを複数の固定長のＰＤＵ(Protocol Data Unit)に分割し、前記ＰＤＵにヘッダ情報を付加して送信するデータ伝送方法において：
複数のＰＤＵフォーマットから使用するＰＤＵフォーマットを選択するステップ；
選択されたＰＤＵフォーマットに基づき、所定のＰＤＵサイズに前記パケットデータを分割するステップ；
分割された少なくとも１個のパケットデータを所定のサイズにマッピングするステップ；
を有することを特徴とするデータ伝送方法。
【発明の詳細な説明】
【技術分野】
【０００１】
本発明は、ＩＰパケットを、無線区間での伝送基本単位に分割して伝送する無線基地局および移動局並びにデータ伝送方法に関する。
【背景技術】
【０００２】
ＩＰパケットの物理チャネルへのマッピングについて、図１を参照して説明する。
【０００３】
Ｗ−ＣＤＭＡ(Wideband-CDMA)では、ＩＰパケットは、ある一定の無線のサイズ、例えばＲＬＣ−ＰＤＵ(Radio Link Control-Protocol Data Unit)のサイズに分割され（ＩＰパケット分割）、分割されたＲＬＣ−ＰＤＵ毎にヘッダ（ＨＤ）およびＣＲＣ(Cyclic redundancy check)誤り検出符号が付加され、伝送レートに合わせて送信される。ＨＤには、ＩＰパケットの分割／組立用の制御信号に関する情報が格納される。また、再送は、ＲＬＣ−ＰＤＵ単位で行われる。
【０００４】
また、Ｗ−ＣＤＭＡを拡張したＨＳＤＰＡ(High-Speed Downlink Packet Access)では、複数のＲＬＣ−ＰＤＵが結合されてＭＡＣ−ＰＤＵが作成され、作成されたＭＡＣ−ＰＤＵ毎にヘッダ、例えばＳＮ−ＨＡＲＱ(Sequence Number-Hybrid Automatic Repeat reQuest)およびＣＲＣ誤り検出符号が付加される（ＰＤＵ結合）。
【０００５】
チャネル符号化された複数のＭＡＣ−ＰＤＵのブロックが結合され、必要に応じてＰａｄｄｉｎｇが付加され（ブロック結合）、インタリーブおよびマッピングされ、Radio frameが形成される（インタリーブ／マッピング）。
【０００６】
ＨＳＤＰＡにおいては、基地局と移動局との間の伝送状態に応じて、選択ＭＣＳ(Modulation and Coding Set)により、無線チャネルの変調方式や符号化率を変化させることができる。また、ＨＳＤＰＡでは、誤り検出は新たなＰＤＵ、すなわち、ＭＡＣ−ＰＤＵに付加されたＣＲＣ誤り検出符号により行われ、ＭＡＣ−ＰＤＵを単位として、基地局と移動局との間で再送制御が行われる。
【０００７】
また、無線ＬＡＮの規格の１つであるＩＥＥＥ８０２．１１では、ＩＰパケットのサイズに応じて無線サイズが決定される。このため、ＩＰパケットは分割されず送信される。
【０００８】
尚、上述した従来技術のうちＩＰパケットを物理チャネルへマッピングする技術は、出願人が出願時点で知る限りにおいて文献公知ではない。
【０００９】
また、出願人は出願時点までに本発明に関連する先行技術文献を発見することができなかった。よって、先行技術文献情報を開示していない。
【発明の開示】
【発明が解決しようとする課題】
【００１０】
しかしながら、上述した背景技術には以下の問題がある。
【００１１】
Ｗ−ＣＤＭＡおよびＨＳＤＰＡでは、ＲＬＣ−ＰＤＵのサイズおよびＭＡＣ−ＰＤＵのサイズを単位として送信されるが、このサイズは音声データ、画像データに関わらす同一であり、送信データに対して最適化されたものではない問題がある。
【００１２】
また、ＩＥＥＥ８０２．１１では、ＩＰパケットが分割されずに送信されるため、無線伝送に適したサイズでの伝送が行われていない問題がある。
【００１３】
そこで本発明においては、移動無線に適したＩＰパケットのマッピングを行う無線基地局および移動局並びにデータ伝送方法を提供することを目的としている。
【課題を解決するための手段】
【００１４】
上記課題を解決するため、本発明の無線基地局は、パケットデータを複数の固定長のＰＤＵに分割し、ＰＤＵにヘッダ情報を付加して送信する無線基地局において、複数のＰＤＵフォーマットが格納された記憶手段と、複数のＰＤＵフォーマットから、使用するＰＤＵフォーマットを選択し、選択されたＰＤＵフォーマットに基づき、所定のＰＤＵサイズに前記パケットデータを分割する分割手段と、分割された少なくとも１個のパケットデータを所定のサイズにマッピングするマッピング手段とを備える。
【００１５】
このように構成することにより、複数のＰＤＵフォーマットから、適切なＰＤＵフォーマットを選択でき、選択されたＰＤＵフォーマットに基づいたＰＤＵサイズにパケットデータを分割して送信できる。
【００１６】
また、本発明の移動局は、パケットデータを複数の固定長のＰＤＵに分割し、ＰＤＵにヘッダ情報を付加して送信する移動局において、無線基地局とは異なるＰＤＵサイズが設定されたＰＤＵフォーマットが格納された記憶手段を備える。
【００１７】
このように構成することにより、無線基地局とは異なるＰＤＵサイズにパケットデータを分割して送信できる。
【００１８】
また、本発明にかかるデータ伝送方法は、パケットデータを複数の固定長のＰＤＵに分割し、ＰＤＵにヘッダ情報を付加して送信するデータ伝送方法において、複数のＰＤＵフォーマットから使用するＰＤＵフォーマットを選択するステップと、選択されたＰＤＵフォーマットに基づき、所定のＰＤＵサイズにパケットデータを分割するステップと、分割された少なくとも１個のパケットデータを所定のサイズにマッピングするステップとを有する。
【００１９】
このようにすることにより、複数のＰＤＵフォーマットから、適切なＰＤＵフォーマットを選択でき、選択されたＰＤＵフォーマットに基づいたＰＤＵサイズにパケットデータを分割して送信できる。
【発明の効果】
【００２０】
本発明の実施例によれば、移動無線に適したＩＰパケットのマッピングを行う無線基地局および移動局並びにデータ伝送方法を実現できる。
【発明を実施するための最良の形態】
【００２１】
次に、本発明の実施例について図面を参照して説明する。
なお、実施例を説明するための全図において、同一機能を有するものは同一符号を用い、繰り返しの説明は省略する。
【００２２】
本発明の実施例にかかる移動通信システムについて、図２を参照して説明する。
【００２３】
本実施例にかかる移動通信システムは、無線基地局１００と、無線基地局１００と無線通信が可能であり、記憶部２０１を備える移動局２００とを備える。
【００２４】
無線基地局１００は、制御部１０１と、制御部１０１と接続された記憶部１０２とを備える。制御部１０１は、記憶部１０２と接続された分割部１０３と、分割部１０３と接続された結合部１０４と、結合部１０４と接続されたチャネル符号化部１０５と、チャネル符号化部１０５と接続されたマッピング部１０６と、マッピング部１０６と接続された再送制御部１０７とを備える。
【００２５】
ＩＰパケットは、分割部１０３において、所定のＰＤＵのサイズに分割され、分割されたＲＬＣ−ＰＤＵ毎にＨＤおよびＣＲＣが付加され、結合部１０４に入力される。この場合、分割部１０３は、記憶部１０２に記憶されたＰＤＵフォーマットに基づいて、ＩＰパケットの分割を行う。
【００２６】
例えば、ＩＰパケットは、図３（ａ）および（ｂ）に示すように、ヘッダ（ＨＤ）部と、Ｐａｙｌｏａｄ部とにより構成される。
【００２７】
ヘッダ部は、Ｓｅｑｕｅｎｃｅ  Ｎｕｍｂｅｒ（以下、ＳＮと呼ぶ）と、Ｌｅｎｇｔｈ  Ｉｎｄｉｃａｔｏｒ（以下、ＬＩと呼ぶ）と、Ｅｘｔｅｎｓｉｏｎ  ｂｉｔ（以下、Ｅと呼ぶ）とから構成される。
【００２８】
ＳＮには、ＰＤＵ番号、ＩＰパケットの分割／組立に用いる情報が格納される。ＬＩには、ＰＤＵ内に複数のＩＰパケットが存在する場合、その分割点を示す情報が格納される。この分割点の単位は、例えば、Ｏｃｔｅｔで示される。また、Ｐａｄｄｉｎｇの場合にはａｌｌ“１”が格納される。Ｅには、次のフィールドがＬＩかＰａｙｌｏａｄかを示す情報が格納される。例えば、Ｐａｙｌｏａｄの場合は“０”、ＬＩの場合は“１”が格納される。
【００２９】
Ｐａｙｌｏａｄ部には、送信されるデータ本体が格納される。ＨＳＤＰＡでは、適応変調により、送信データは、通信状態がよければ、例えば１６ＱＡＭ(Quadrature Amplitude Modulation)などの高レートで送信され、伝送状態が悪ければ低レートで送信される。この場合、変調方式により符号化率等が異なるため、格納されるデータ量も異なる。
【００３０】
次に、ＰＤＵの構成について、図４を参照して説明する。
【００３１】
ＰＤＵには、例えば、ＰＤＵ内に１個のＩＰパケットしか存在しない場合、ＰＤＵ内に２個のＩＰパケットが存在する場合、すなわち２個のＩＰパケットに渡ってＰＤＵが作成される場合、ＰＤＵ内に３個のＩＰパケットが存在する場合、すなわち３個のＩＰパケットに渡ってＰＤＵが作成される場合、ＰＤＵ内にＰａｄｄｉｎｇが存在する場合がある。
【００３２】
ＰＤＵ内に１個のＩＰパケットしか存在しない場合は、図４（ａ）に示すように、ＰＤＵは、ＳＮと、“０”が格納されるＥと、Ｐａｙｌｏａｄとにより構成される。
【００３３】
ＰＤＵ内に２個のＩＰパケット、例えばＩＰ＃１およびＩＰ＃２が存在する場合は、図４（ｂ）に示すように、ＰＤＵは、ＳＮと、“１“が格納されるＥと、ＬＩと、”０“が格納されるＥと、Ｐａｙｌｏａｄ（ＩＰ＃１）と、Ｐａｙｌｏａｄ（ＩＰ＃２）とにより構成される。ＬＩには、Ｐａｙｌｏａｄ（ＩＰ＃１）とＰａｙｌｏａｄ（ＩＰ＃２）の分割点を示す情報が格納される。
【００３４】
ＰＤＵ内に３個のＩＰパケット、例えばＩＰ＃１、ＩＰ＃２およびＩＰ＃３が存在する場合は、図４（ｃ）に示すように、ＰＤＵは、ＳＮと、“１“が格納されるＥと、ＬＩ＃１と、”１“が格納されるＥと、ＬＩ＃２と、”０“が格納されるＥと、Ｐａｙｌｏａｄ（ＩＰ＃１）と、Ｐａｙｌｏａｄ（ＩＰ＃２）と、Ｐａｙｌｏａｄ（ＩＰ＃３）とにより構成される。ＬＩ＃１にはＩＰ＃１とＩＰ＃２との分割点を示す情報が格納され、ＬＩ＃２にはＩＰ＃２とＩＰ＃３との分割点を示す情報が格納される。
【００３５】
ＰＤＵ内にＰａｄｄｉｎｇが存在する場合は、図４（ｄ）に示すように、ＰＤＵは、ＳＮと、“１”が格納されるEと、ＬＩ＃１と、“１”が格納されるEと、all“１”と、“０”が格納されるEと、Ｐａｙｌｏａｄと、Ｐａｄｄｉｎｇとにより構成される。ＬＩ＃１にはＰａｙｌｏａｄとＰａｄｄｉｎｇとの分割点を示す情報が格納される。
【００３６】
次に、ＰＤＵフォーマットについて、図５を参照して説明する。
【００３７】
最初に、下りリンクのＰＤＵフォーマットについて、図５（ａ）を参照して説明する。
【００３８】
下りリンクでは、複数のフォーマット、例えば、２種類のフォーマットが設定される。例えば、拡散率(spreading factor :SF)が１６以下の場合に適用されるＦｏｒｍａｔ＃１と、拡散率が１６以上１２８以下の場合に適用されるＦｏｒｍａｔ＃２が設定される。これらのフォーマットは、記憶部１０２に記憶される。
【００３９】
各Ｆｏｒｍａｔについて説明する。
【００４０】
Ｆｏｒｍａｔ＃１では、ＰＤＵｓｉｚｅを１４０ｏｃｔｅｔｓとし、ＳＮ＋Ｅを２ｏｃｔｅｔｓ（１５ｂｉｔｓ＋１ｂｉｔ）とし、ＬＩ＋Ｅを２ｏｃｔｅｔｓ（１５ｂｉｔｓ＋１ｂｉｔ）とする。
【００４１】
Ｆｏｒｍａｔ＃２では、ＰＤＵｓｉｚｅを１４ｏｃｔｅｔｓとし、ＳＮ＋Ｅを２ｏｃｔｅｔｓ（１５ｂｉｔｓ＋１ｂｉｔ）とし、ＬＩ＋Ｅを１ｏｃｔｅｔ（７ｂｉｔｓ＋１ｂｉｔ）とする。
【００４２】
移動通信システムでは、低レートの伝送から高レートの伝送までサポートする必要がある。
【００４３】
例えば、ＰＤＵサイズが小さい１個のＰＤＵフォーマットしか用意されていない場合、高速レートで送信できるデータでも細かく分割された上にヘッダ情報が付加されるため伝送効率が悪くなる。
【００４４】
このように、ＰＤＵフォーマットを複数用意することにより、送信データに応じてＰＤＵｓｉｚｅを変化させることができ、これに伴いヘッダの数およびサイズを変化させることができるため、ヘッダ情報を削減することができる。例えば、Ｆｏｒｍａｔ＃２を選択することにより、１個のヘッダに対して、ＬＩ＋Ｅの情報量を１ｏｃｔｅｔ削減することができる。
【００４５】
分割部１０３は、２種類のＰＤＵフォーマットから、伝送するデータに基づいて、使用するＰＤＵフォーマットを選択するようにしてもよいし、必要とされる伝送レートまたは伝送路の状態に基づいて選択するようにしてもよい。
【００４６】
また、記憶部１０２は、ＰＤＵフォーマットを、例えば変調方式毎に備えるようにしてもよいし、ＭＣＳ（変調と符号化のセット）毎に備えるようにしてもよい。適応変調が行われる場合、変調方式により符号化率などが異なるため、ＰＤＵに格納されるデータ量が異なる。このため、ＭＣＳ毎にＰＤＵフォーマットを用意する。また、使用状況に応じて一部のＭＣＳに対応してＰＤＵフォーマットを用意してもよい。
【００４７】
次に、上りリンクのＰＤＵフォーマットについて説明する。記憶部２０１は、例えば以下に示すＰＤＵフォーマットを記憶する。
【００４８】
上りリンクのＦｏｒｍａｔでは、ＰＤＵｓｉｚｅを２８ｏｃｔｅｔｓとし、ＳＮ＋Ｅを２ｏｃｔｅｔｓ（１５ｂｉｔｓ＋１ｂｉｔ）とし、ＬＩ＋Ｅを１ｏｃｔｅｔ（７ｂｉｔｓ＋１ｂｉｔ）とする。
【００４９】
このように上りリンクと下りリンクのＰＤＵｓｉｚｅを変えることにより、効率的にヘッダ情報を削減することができる。
【００５０】
例えば、複数のユーザに対応する場合、ＳＦが大きな値となるため、下りリンクのＰＤＵフォーマットはＦｏｒｍａｔ＃２が選択される。このＦｏｒｍａｔ＃２を上りリンクに用いた場合、ＰＤＵｓｉｚｅが小さいため、送信データは細かく分割された上にヘッダ情報が付加されるため伝送効率が悪くなる。しかし、上りリンクと下りリンクとのＰＤＵフォーマットを変え、ＰＤＵｓｉｚｅの大きいＰＤＵフォーマットを備えることにより、ヘッダ情報を削減することができ、伝送効率を改善できる。
【００５１】
また、分割部１０３において、ＩＰパケットの分割が行われるのは、ＩＰパケットのサイズが無線サイズよりも大きい場合である。ＩＰパケットのサイズが無線サイズよりも小さい場合、例えば、多値ＱＡＭ伝送などのようにＩＰパケットのサイズが小さい場合にはＩＰパケットの分割は行われず、複数のＩＰパケットの結合が行われる。
【００５２】
結合部１０４は、入力された複数のＲＬＣ−ＰＤＵを結合し、ＭＡＣ−ＰＤＵを作成し、作成したＭＡＣ−ＰＤＵ毎にヘッダ、例えば、ＳＮ−ＨＡＲＱおよびＣＲＣ誤り検出符号を付加し、チャネル符号化部１０５に入力する。
【００５３】
チャネル符号化部１０５は、入力されたＨＤおよびＣＲＣが付加されたＭＡＣ−ＰＤＵのチャネル符号化を行い、マッピング部１０６に入力する。
【００５４】
マッピング部１０６は、チャネル符号化されたＨＤおよびＣＲＣが付加されたＭＡＣ−ＰＤＵをインタリーバサイズにマッピングする。
【００５５】
ここで、物理チャネルへのマッピングの方法について、図６〜図８を参照して説明する。図６（ａ）、図７（ａ）および図８（ａ）において、横軸は時間軸、縦軸は符号軸である。
【００５６】
マッピング方法として、図６（ａ）に示す、符号(コード)軸へのマッピングであるＳＳ−ＭＣ(Single Slot-Multi Code)マッピング、図７（ａ）に示す、時間軸へのマッピングであるＭＳ−ＳＣ(Multi Slot-Single Code)マッピング、図８（ａ）に示す、符号軸および時間軸へのマッピングであるＭＳ−ＭＣ(Multi Slot-Multi Code)マッピングに分けて説明する。
【００５７】
さらに、各マッピングにおける再送単位として、複数コード一括（マルチコード／マルチスロット）（以下、ＰＰ(Per Packet)と呼ぶ）、コード単位（物理チャネルの最小単位）（以下、ＰＣ(Per Code)と呼ぶ）の２種類に分けて説明する。
【００５８】
最初に、ＳＳ−ＭＣについて、図６（ｂ）を参照して説明する。
【００５９】
再送の単位がＰＰであるＳＳ−ＭＣマッピング（ＳＳ−ＭＣ／ＰＰ）は、複数コード単位でＣＲＣが付加され、その再送単位(Retrans.unit)は、例えば、ＩＰパケットを単位としてＣＲＣを付加した場合、ＩＰパケットである。ＰＥＲ(Packet Error Rate)に関しては、ＳＦが１６以下でほぼ飽和するため、符号化利得は高く、時間インタリーブ効果はなく、ＩＰのＰＥＲ特性は、再送の単位がＰＣであるＳＳ−ＭＣマッピングと同等である。遅延(Latency)は小さい。また、複数コードに対し１個の誤り検出符号が付加されるため、コード単位に誤り検出符号が付加される場合と比較して、ＡＣＫ／ＮＡＣを削減できる利点がある。
【００６０】
再送の単位がＰＣであるＳＳ−ＭＣマッピング（ＳＳ−ＭＣ／ＰＣ）は、コード単位でＣＲＣが付加され、その再送単位はコードチャネルである。ＰＥＲに関しては、ＳＦが１６以下でほぼ飽和するため、符号化利得は高く、時間インタリーブ効果はなく、ＩＰのＰＥＲ特性は、再送の単位がＰＰであるＳＳ−ＭＣマッピングと同等である。また、遅延は小さい。また、コード単位で１個の誤り検出符号が付加されるため、複数コード一括して誤り検出符号が付加される場合と比較して、部分再送ができる利点がある。また、コード間の誤り相関が低い場合には、部分再送の効果によりチャネル利用効率を高くすることができる利点がある。
【００６１】
次に、ＭＳ−ＳＣマッピングについて、図７（ｂ）を参照して説明する。
【００６２】
再送の単位がＰＰであるＭＳ−ＳＣマッピング（ＭＳ−ＳＣ／ＰＰ）は、複数コード単位でＣＲＣが付加され、その再送単位は、ＩＰパケットを単位としてＣＲＣを付加した場合、ＩＰパケットである。ＰＥＲに関しては、ＳＦが１６以下でほぼ飽和するため、符号化利得は高く、時間インタリーブ効果があり、ＩＰのＰＥＲ特性は、ＳＳ−ＭＣより劣る。また、遅延は大きい。また、パケットの組立が不要である利点がある。
【００６３】
再送の単位がＰＣであるＭＳ−ＳＣマッピング（ＭＳ−ＳＣ／ＰＣ）は、コード単位でＣＲＣが付加され、その再送単位はコードチャネルである。ＰＥＲに関しては、ＳＦが１６以下でほぼ飽和するため、符号化利得は高く、時間インタリーブ効果はなく、ＩＰのＰＥＲ特性は悪い。また、遅延は大きい。また、コード間の誤り相関が低い場合には、部分再送の効果によりチャネル利用効率を高くすることができる利点がある。
【００６４】
次に、ＭＳ−ＭＣマッピングについて、図８（ｂ）を参照して説明する。
【００６５】
再送の単位がＰＰであるＭＳ−ＭＣマッピング（ＭＳ−ＭＣ／ＰＰ）は、複数コード単位でＣＲＣが付加され、その再送単位は、例えば、ＩＰパケットを単位としてＣＲＣを付加した場合、ＩＰパケットである。ＰＥＲに関しては、ＳＦが１６以下でほぼ飽和するため、符号化利得は高く、時間インタリーブ効果はある。また、ＩＰのＰＥＲ特性は、ＳＳ−ＭＣより劣る。遅延はＳＳ−ＭＣより大きい。また、ＡＣＫ／ＮＡＣを削減できる利点がある。
【００６６】
次に、再送の単位がＰＣであるＭＳ−ＭＣマッピング（ＭＳ−ＭＣ／ＰＣ）は、コード単位でＣＲＣが付加され、その再送単位はコードチャネルである。ＰＥＲに関しては、ＳＦが１６以下でほぼ飽和するため、符号化利得は高く、時間インタリーブ効果はある。また、ＩＰのＰＥＲ特性はＳＳ−ＭＣより劣る。遅延はＳＳ−ＭＣより大きい。また、コード単位に１個の誤り検出符号が付加されるため、複数コード単位で誤り検出符号が付加される場合と比較して、部分再送ができる利点がある。
【００６７】
ここで、物理チャネルへのマッピングの方法について、ＳＳ−ＭＣ、ＭＳ−ＳＣおよびＭＳ−ＭＣの比較を図９に示す。
【００６８】
時間インタリーブ効果については、再送の単位がＰＰであるＭＳ−ＳＣマッピングが高く、これに続いて、再送の単位がＰＰであるＭＳ−ＭＣマッピングが高い。ＳＳ−ＭＣ、再送単位がＰＣであるＭＳ−ＳＣおよびＭＳ−ＭＣについては、時間インタリーブの効果はない。遅延については、ＳＳ−ＭＣが小さく、これに続いて、再送単位がＰＣであるＭＳ−ＳＣ、ＭＳ−ＭＣが小さい。制御チャネル信号量は、再送単位がＰＰであるマッピングが多くなる。また、チャネル利用効率は、再送単位がＰＣであるＳＳ−ＭＣおよび再送単位がＰＰであるＭＳ−ＳＣが高い。適用トラヒックの例として、ＳＳ−ＭＣはユニキャスト型、再送単位がＰＰであるＭＳ−ＳＣはマルチキャスト型が挙げられる。
【００６９】
マッピング部１０６は、上述したマッピングの方法のうち、適切なマッピング方法を選択しマッピングを行う。
【００７０】
例えば、図１０に示すように、トラヒックの種別に応じて、最適なマッピングの方法を選択するようにしてもよい。
【００７１】
ユニキャスト型の場合には、通信形態が１対１であり、再送可能、また、低遅延である必要があるため、符号方向のマッピングであるＳＳ−ＭＣを用いる。このように符号方向にマッピングすることにより、低遅延で送信することができる。
【００７２】
また、マルチキャスト型の場合には、通信形態が１対多であり、再送が難しいため、パケット誤りを低くする必要がある。このため、時間方向のマッピングであるＭＳ−ＳＣを用いる。このように時間軸方向にマッピングすることにより、時間インタリーブ効果を利用し、パケット誤りを低減することができる。
【００７３】
再送制御部１０７は、各マッピングにおいて設定された再送単位に基づいて、再送制御を行う。
【００７４】
次に、無線基地局１００の動作について、図１１を参照して説明する。
【００７５】
送信データが発生する（ステップＳ１１０２）。次に、例えば、送信データ、伝送路の状態に基づいて、拡散率が設定され（ステップＳ１１０４）、設定された拡散率に基づいて、ＰＤＵフォーマットが決定される（ステップＳ１１０６）。
【００７６】
ＩＰパケットは、決定されたＰＤＵフォーマットに基づいて、所定のＰＤＵのサイズに分割され（ステップＳ１１０８）、分割されたＲＬＣ−ＰＤＵ毎にＨＤおよびＣＲＣが付加される（ステップＳ１１１０）。ＨＤおよびＣＲＣが付加された複数のＲＬＣ−ＰＤＵは結合されて、ＭＡＣ−ＰＤＵが作成され（ステップＳ１１１２）、作成されたＭＡＣ−ＰＤＵ毎に、ヘッダおよびＣＲＣ誤り検出符号が付加される（ステップＳ１１１４）。
【００７７】
次に、ＨＤおよびＣＲＣが付加されたＭＡＣ−ＰＤＵに対して、チャネル符号化が行われ（ステップＳ１１１６）、インタリーバサイズにマッピングされる（ステップＳ１１１８）。この場合、適切なマッピング方法が選択され、マッピングが行われる。
【００７８】
上述した実施例においては、ＨＳＤＰＡによりデータ伝送を行う場合について説明したが、Ｗ−ＣＤＭＡに適用することにより、送信データに対して最適化されたＰＤＵサイズで送信できる。
【００７９】
また、本実施例を無線ＬＡＮに適用することにより、無線伝送に適したサイズでデータ送信を行うことができる。
【産業上の利用可能性】
【００８０】
本発明にかかる無線基地局および移動局並びにデータ伝送方法は、ＩＰパケットを、無線区間での伝送基本単位に分割して伝送する通信システムに適用できる。
【図面の簡単な説明】
【００８１】
【図１】ＩＰパケットの物理チャネルへのマッピングを示す説明図である。
【図２】本発明の実施例にかかる移動局および無線基地局を示すブロック図である。
【図３】ＰＤＵの構成を示す説明図である。
【図４】ＰＤＵの構成を示す説明図である。
【図５】本発明の実施例にかかるＰＤＵフォーマットを示す説明図である。
【図６】本発明の実施例にかかる物理チャネルへのマッピングを示す説明図である。
【図７】本発明の実施例にかかる物理チャネルへのマッピングを示す説明図である。
【図８】本発明の実施例にかかる物理チャネルへのマッピングを示す説明図である。
【図９】本発明の実施例にかかる物理チャネルへのマッピングを示す説明図である。
【図１０】本発明の実施例にかかる物理チャネルへのマッピングを示す説明図である。
【図１１】本発明の実施例にかかる無線基地局の動作を示すフローチャートである。
【符号の説明】
【００８２】
１００  無線基地局
２００  移動局
【図１】
2006295724.tif 000003
【図２】
2006295724.tif 000004
【図３】
2006295724.tif 000005
【図４】
2006295724.tif 000006
【図５】
2006295724.tif 000007
【図６】
2006295724.tif 000008
【図７】
2006295724.tif 000009
【図８】
2006295724.tif 000010
【図９】
2006295724.tif 000011
【図１０】
2006295724.tif 000012
【図１１】
2006295724.tif 000013